(57)【要約】      （修正有）【課題】簡易な構成で、各種表示を立体的に表現することが可能な表示装置、表示装置の制御方法および制御プログラムを提供する。【解決手段】初期状態では平板形状を有し、湾曲可能な表示パネル１１と、表示用信号が入力される端子部１２とを備え、表示パネル１１を湾曲させて立体形状とした状態で、端子部１２が当該立体形状を構成する面内に収まるように設けられている。上記構成によれば、表示パネル１１を湾曲させて立体形状とした状態で、端子部１２が当該立体形状を構成する面内に収まるので、表示装置の体積を小さくできる。【選択図】図２
2007047627.tif 000002
【特許請求の範囲】
【請求項１】
初期状態では平板形状を有し、湾曲可能な表示パネルと、
表示用信号が入力される端子部と、を備え、
前記表示パネルを湾曲させて立体形状とした状態で、前記端子部が当該立体形状を構成する面内に収まるように設けられていることを特徴とする表示装置。
【請求項２】
請求項１記載の表示装置において、
前記端子部が当該表示パネルの裏面側に位置して、表面側から見えない位置となるように前記表示パネルの一端と他端とを重なり合わせたことを特徴とする表示装置。
【請求項３】
請求項１または請求項２記載の表示装置において、
前記表示パネルは、前記平面状態で、円から当該円の中心を含む扇形を除いた形状あるいはＣ字形状であり、前記立体形状で円錐あるいは円錐台の錘面形状とされていることを特徴とする表示装置。
【請求項４】
請求項１または請求項２記載の表示装置において、
前記表示パネルは、前記平面状態で、矩形形状であり、前記立体形状において、回転柱面形状とされていることを特徴とする表示装置。
【請求項５】
請求項１ないし請求項４のいずれかに記載の表示装置において、
前記端子部は、前記平板形状の状態で、前記表示パネルの一端あるいは他端の外縁形状に対して所定角度をなすように設けられていることを特徴とする表示装置。
【請求項６】
表示パネルを湾曲させて立体形状とし、表示用信号が入力される端子部が当該表示パネルの裏面側に位置して、表面側から見えない位置となるように前記表示パネルの一端と他端とを重なり合わせた表示装置の表示制御方法において、
前記重なり合わせた部分において、前記表示パネルの一端の表示と、前記他端の表示が連続性を有するように、実際の重ね合わせ状態に応じて表示画像の表示補正量を予め記憶する補正量記憶過程と、
前記予め記憶した表示補正量を読み出す補正量読出過程と、
前記読み出した表示補正量に基づいて、表示の補正を行う補正過程と、
を備えたことを特徴とする表示装置の制御方法。
【請求項７】
表示パネルを湾曲させて立体形状とし、表示用信号が入力される端子部が当該表示パネルの裏面側に位置して、表面側から見えない位置となるように前記表示パネルの一端と他端とを重なり合わせた表示装置をコンピュータにより制御する制御プログラムにおいて、
前記重なり合わせた部分において、前記表示パネルの一端の表示と、前記他端の表示が連続性を有するように、実際の重ね合わせ状態に応じて表示画像の表示補正量を予め記憶させ、
前記予め記憶した表示補正量を読み出させ、
前記読み出させた表示補正量に基づいて、表示の補正を行わせる、
ことを特徴とする制御プログラム。
【発明の詳細な説明】
【技術分野】
【０００１】
本発明は、湾曲可能な表示パネルを有する表示装置、表示装置の制御方法および制御プログラムに係り、特に表示において立体的な表現が可能な表示装置、表示装置の制御方法および制御プログラム関する。
【背景技術】
【０００２】
従来より、紙に置き換わる表示デバイスとして、電子ペーパーと呼ばれる表示装置が提案されている。
このような表示装置の一態様として、消費電力および薄型化などの観点から、電気泳動現象を利用した電気泳動表示装置が提案されている（例えば、特許文献１参照）。
いわゆる電気泳動現象は、従来から知られており、液体中に分散した帯電粒子が電界印加により泳動する現象である。
この種の電気泳動表示装置にあっては、一対の電極間に、少なくとも１種の電気泳動粒子（帯電粒子）を含む電気泳動分散液が封入され、これらの一対の電極間に電圧を印加して電気泳動分散液に電界を作用させることにより、電気泳動分散液中の電気泳動粒子の分布状態を変化させることによって、表示が行われる。
【特許文献１】特開平１−８６１１６号公報
【発明の開示】
【発明が解決しようとする課題】
【０００３】
上記従来の表示装置においては、あくまで紙のように表示を行う点に重点が置かれており、平面的に表示を行うのが一般的であった。
そこで、本発明の目的は、簡易な構成で、各種表示を立体的に表現することが可能な表示装置、表示装置の制御方法および制御プログラムを提供することにある。
【課題を解決するための手段】
【０００４】
上記課題を解決するため、本発明の表示装置は、初期状態では平板形状を有し、湾曲可能な表示パネルと、表示用信号が入力される端子部と、を備え、前記表示パネルを湾曲させて立体形状とした状態で、前記端子部が当該立体形状を構成する面内に収まるように設けられていることを特徴としている。
上記構成によれば、表示パネルを湾曲させて立体形状とした状態で、端子部が当該立体形状を構成する面内に収まるので、表示装置の体積を小さくできる。
【０００５】
この場合において、前記端子部が当該表示パネルの裏面側に位置して、表面側から見えない位置となるように前記表示パネルの一端と他端とを重なり合わせるようにしてもよい。
また、前記表示パネルは、前記平面状態で、円から当該円の中心を含む扇形を除いた形状あるいはＣ字形状であり、前記立体形状で円錐あるいは円錐台の錘面形状とされているようにしてもよい。
さらに、前記表示パネルは、前記平面状態で、矩形形状であり、前記立体形状において、回転柱面形状とされているようにしてもよい。
さらにまた、前記端子部は、前記平板形状の状態で、前記表示パネルの一端あるいは他端の外縁形状に対して所定角度をなすように設けられているようにしてもよい。
【０００６】
また、表示パネルを湾曲させて立体形状とし、表示用信号が入力される端子部が当該表示パネルの裏面側に位置して、表面側から見えない位置となるように前記表示パネルの一端と他端とを重なり合わせた表示装置の表示制御方法において、前記重なり合わせた部分において、前記表示パネルの一端の表示と、前記他端の表示が連続性を有するように、実際の重ね合わせ状態に応じて表示画像の表示補正量を予め記憶する補正量記憶過程と、前記予め記憶した表示補正量を読み出す補正量読出過程と、前記読み出した表示補正量に基づいて、表示の補正を行う補正過程と、を備えたことを特徴としている。
【０００７】
また、表示パネルを湾曲させて立体形状とし、表示用信号が入力される端子部が当該表示パネルの裏面側に位置して、表面側から見えない位置となるように前記表示パネルの一端と他端とを重なり合わせた表示装置をコンピュータにより制御する制御プログラムにおいて、前記重なり合わせた部分において、前記表示パネルの一端の表示と、前記他端の表示が連続性を有するように、実際の重ね合わせ状態に応じて表示画像の表示補正量を予め記憶させ、前記予め記憶した表示補正量を読み出させ、前記読み出させた表示補正量に基づいて、表示の補正を行わせる、ことを特徴としている。
【発明の効果】
【０００８】
本発明によれば、表示装置を簡易な構成で、立体的に構成することができ、各種表示を立体的に表現することが可能となる。
【発明を実施するための最良の形態】
【０００９】
次に図面を参照して本発明の好適な実施の形態について説明する。
｛１｝第１実施形態
図１は、第１実施形態の表示装置を構成する表示デバイスの組み立て前の外観平面である。
表示デバイス１０は、湾曲させることが可能であるとともに、平面状態で、Ｃ字形状をなす表示パネル１１と、表示用信号が入力される端子部１２と、を備えている。
図２は、図１の表示デバイスを組み立てた場合の外観斜視図である。
図２においては、表示デバイス１０は、表示パネル１１を湾曲させて立体形状とした状態で、端子部１２が当該立体形状を構成する面（錘面）内に収まるように設けられている。このような構成を採ることにより、端子部１２が当該立体形状を構成する面（錘面）外に位置する場合と比較して表示装置の体積を減少させることが可能となっている。
【００１０】
図３は、表示デバイスを用いて表示装置を構成する場合の概要構成ブロック図である。
表示装置２０は、大別すると、上述した表示パネル１１および端子部１２により構成される表示デバイス１０と、表示装置１０全体を制御するためのコントローラ２１と、コントローラ２１の制御下で表示デバイス１０を駆動するディスプレイドライバ２２と、表示装置２０全体に電源を供給するバッテリ２３と、を備えている。
ここで、コントローラ２１は、制御プログラムに基づいて、コントローラ２１全体、ひいては、表示装置２０全体を制御するＭＰＵ２５と、制御プログラムを格納したＲＯＭ２６と、各種データを一時的に格納するＲＡＭ２７と、ＭＰＵ２５、ＲＯＭ２６およびＲＡＭ２７を相互に接続する図示しないバスと、を備えている。
【００１１】
図４は表示パネルの断面図である。また、図５は表示パネルの部分拡大断面図である。
図４および図５においては、透明電極にのみ斜線を入れ、その他の部材については図面が煩雑になるのを避けるため斜線を省略する。
表示パネル１１には、電気泳動ディスプレイパネルが用いられている。図３に示すように、表示パネル１１は、一対の透明共通電極５０および表示制御電極５１と、これら透明共通電極５０および表示制御電極５１の間に挟み込まれて配置された複数のマイクロカプセル５３とを有している。
ここで、透明共通電極５０および表示制御電極５１は、端子部１２に電気的に接続されている。
そして、各マイクロカプセル５３には電気泳動分散液６０（図４参照）が封入されている。表示制御電極５１は、表示パネル１１のセグメント（あるいはドット）４０ごとに設けられた電極であり、これらの表示制御電極５１がフレキシブル基板５４上に形成されている。また、透明共通電極５０は透明なガラス基板５５上に例えばＩＴＯ（Indium-Tin Oxide）を蒸着して形成された透明な電極であり、表示制御電極５１と対向して配置される。この透明共通電極５０は全ての表示制御電極５１にまたがる１枚の電極として構成され、フレキシブル基板５４上に設けられた共通電極５６に接続されて、この共通電極５６と同電位に維持される。
【００１２】
このような構成の表示パネル１１は、ガラス基板５５および透明共通電極５０を介してマイクロカプセル５３が呈する表示色が視認されることとなる。
さて、共通電極５６と各表示制御電極５１には、フレキシブル基板５４に配設（プリント）された図示せぬ電気配線を介して、制御回路基板８０側に設けられたドライバＩＣ１５から駆動電圧が供給され、マイクロカプセル５３に封入された電気泳動分散液６０に電界が付与される。マイクロカプセル５３内の電気泳動分散液中には、図４に示すように、電気泳動粒子として青色に着色された青粒子６１が分散されている（いわゆる１粒子系）。この青粒子６１はプラス極性に帯電し、また、電気泳動分散液６０が白色に着色されている。
【００１３】
したがって、共通電極５６が０Ｖ電位（アース電位）に保持されて透明共通電極５０が０Ｖ電位とされるとともに、表示制御電極５１にプラス電圧の駆動電圧が供給されてプラス電位とされた場合、表示制御電極５１から透明共通電極５０に向かう電界が発生し、図４に示すように、マイクロカプセル５３内のプラスに帯電した青粒子６１が透明共通電極５０側に移動し、これに伴って、白色の電気泳動分散液６０が表示制御電極５１側に移動する。この結果、マイクロカプセル５３が青色を呈するため、セグメント４０が青を表示する。これとは逆に、共通電極５６にプラス電圧の駆動電圧が供給されて透明共通電極５０がプラス電位とされるとともに、表示制御電極５１が０Ｖ電位に保持された場合には、プラスに帯電した青粒子６１が表示制御電極５１側に移動し、これに伴って、白色の電気泳動分散液６０が透明共通電極５０側に移動するため、結果として、マイクロカプセル５３が白色を呈し、セグメント４０が白を表示する。また、透明共通電極５０と表示制御電極５１との間に電位差を生じない場合には、青粒子６１の移動が生じないため、セグメント４０の表示色は変化せずに以前の状態が維持される。
以上のようにして、表示パネル１１は、情報記憶状態（メモリ状態）で各種情報が表示されることとなる。
以上の説明のように、本実施形態によれば、平面的な表示のみならず、高さ方向の表現が可能となる。
【００１４】
図６は、表示装置を温湿度計として構成した場合の外観斜視図である。
この図６において、表示パネル１１は、平面状態で、円から当該円の中心を含む扇形を除いた形状であり、立体形状で円錐錘面形状とされている。
そして、温湿度計として表示装置２０を構成した場合には、湿度を高さ方向に表示し、温度を周面方向に表示することにより（図６では、湿度５０％〜６０％、室温２５℃の場合）、湿度の高さがイメージとして理解できる表示装置を構成することができる。
【００１５】
図７は、第１実施形態の変形例の説明図である。
以上の説明では、表示デバイス１０は、表示パネル１１を湾曲させて立体形状とした状態で、端子部１２が当該立体形状を構成する面（錘面）内に収まるように設けられていたが、端子部１２が外周面に現れる構造となっていたが、図７に示すように、端子部１２を当該表示パネル１１の裏面側に位置して、表面側から見えない位置となるように表示パネル１１の一端と他端とを重なり合わせるようにすれば、さらに美観も向上することとなる。
【００１６】
［２］第２実施形態
以上の第１実施形態は、表示パネル１１は、平面状態で、円から当該円の中心を含む扇形を除いた形状あるいはＣ字形状であり、立体形状で円錐あるいは円錐台の錘面形状とされていたが、本第２実施形態の表示パネルは、平面状態で、矩形形状であり、立体形状において、回転柱面形状とされている。
【００１７】
図８は、第２実施形態の表示装置を構成する表示デバイスの組み立て前の外観平面である。
表示デバイス３０は、湾曲させることが可能であるとともに、平面状態で、矩形形状をなす表示パネル３１と、表示用信号が入力される端子部３２と、を備えている。
【００１８】
図９は、図８の表示デバイスの組み立て途中の外観斜視図である。図１０は、図８の表示デバイスの組み立て後の外観斜視図である。
図９および図１０に示すように、端子部３２は、表示パネル３１の裏面側に位置して、表面側から見えない位置となるように表示パネル３１の一端と他端とを重なり合わせている。
この場合において、理想的には、表示パネル３１の重なり合わせ部分の長さL１およびＬ２は、同一のはずであるが、実際には製造過程における誤差などから異なる。また、表示装置３０の個体差によっては、長さＬ１と長さＬ２は、等しいとしても、他の表示装置３０と比較すると、長すぎたり短すぎたりする場合も存在する。
この結果、図１０に示すように、例えば、アルファベット「Ａ」の文字を表示する場合に、重ね合わせの境界線Ｘにおいて、表示のずれが生じる可能性がある。
【００１９】
そこで、本第２実施形態においては、図２に示したコントローラ２１は、ＲＯＭ２６内に実際の重ね合わせ状態に応じた表示補正量として、長さL１およびＬ２に関する情報を予め記憶しておき、実際の表示の際には、ＲＯＭ２６から表示補正量を読み出して、表示パネル３１の一端の表示と、他端の表示が連続性を有するように読み出した表示補正量に基づいて、表示の補正を行うように構成している。
この結果、製造のばらつきなどに起因する表示のずれが無くシームレスな表示を確実に行うことが可能となっている。
以上の説明のように、各実施形態によれば、表示装置を簡易な構成で、立体的に構成することができ、各種表示を立体的に表現することが可能となる。さらに各表示装置の個体差の影響を受けることなく全周（３６０゜）にわたってシームレスな表示が可能となっている。
【００２０】
なお、上述した実施の形態は、あくまでも本発明の一態様を示すものであり、本発明の範囲内で任意に変形および応用が可能である。
図１１は、実施形態の第１変形例の説明図である。
以上の説明においては、表示装置を円錐台形状、円錐形状あるいは円筒形状とする場合であったが、図１１に示すように、表示装置６０を構成する表示パネル６１をすり鉢状として内面側に表示（図１１では、アルファベット「Ａ」の文字を表示）するように構成することも可能である。
【００２１】
図１２は、実施形態の第２変形例の説明図である。
以上の実施形態においては、端子部１２、３２は、表示パネル１１、３１の一端に沿って設けていたが、本第２変形例では、平板形状の状態で、端子部７２が表示パネル７１の一端７１Ａあるいは他端７１Ｂの外縁形状に対して所定角度θをなすように設けられている。
この結果、端子部７２を表示パネルの一端に沿って設ける場合と比較して、長く形成することが可能となり、信号端子数を増加させたり、小型の表示パネルにおいて所望の信号端子数を確保することができる。
以上の説明においては、電気泳動ディスプレイパネルを用いた場合について説明したが、湾曲可能なディスプレイであれば、液晶ディスプレイ、ＥＬディスプレイなど様々なディスプレイを適用することが可能である。
【００２２】
また例えば、マイクロカプセル５３に電気泳動分散液６０を封入する構成に限らず、各セグメント４０を密閉構造として、それぞれのセグメント４０に電気泳動分散液６０を注入する構成としても良い。
以上の説明では、２つの表示装置を接続する場合について説明したが、３つ以上の表示装置をシリアルに接続するように構成することも可能である。この場合においては、全ての表示装置で表示制御データを共有したり、隣接する表示装置と表示制御データを共有するように構成することも可能である。
また、上述した実施の形態では、本発明に係る表示装置を床置き型として説明したが、天井につり下げたり、壁にかけて用いる電子機器の表示部に適用するように構成することも可能である。
【図面の簡単な説明】
【００２３】
【図１】第１実施形態の表示装置を構成する表示デバイスの組み立て前の外観平面である。
【図２】図１の表示デバイスを組み立てた場合の外観斜視図である。
【図３】表示デバイスを用いて表示装置を構成する場合の概要構成ブロック図である。
【図４】表示パネルの断面図である。
【図５】表示パネルの部分拡大断面図である。
【図６】表示装置を温湿度計として構成した場合の外観斜視図である。
【図７】第１実施形態の変形例の説明図である。
【図８】第２実施形態の表示装置を構成する表示デバイスの組立前の外観平面である。
【図９】図８の表示デバイスの組み立て途中の外観斜視図である。
【図１０】図８の表示デバイスの組み立て後の外観斜視図である。
【図１１】実施形態の第１変形例の説明図である。
【図１２】実施形態の第２変形例の説明図である。
【符号の説明】
【００２４】
１０、２０、３０、６０…表示装置、１１、３１、６１、７１…表示パネル、１２、３２、７２…端子部、２０…表示装置、２１…コントローラ、２２…ディスプレイドライバ、２３…バッテリ、２５…ＭＰＵ、２６…ＲＯＭ、２７…ＲＡＭ。
【図１】
2007047627.tif 000003
【図２】
2007047627.tif 000004
【図３】
2007047627.tif 000005
【図４】
2007047627.tif 000006
【図５】
2007047627.tif 000007
【図６】
2007047627.tif 000008
【図７】
2007047627.tif 000009
【図８】
2007047627.tif 000010
【図９】
2007047627.tif 000011
【図１０】
2007047627.tif 000012
【図１１】
2007047627.tif 000013
【図１２】
2007047627.tif 000014